(57)【要約】【課題】加熱ユニットから発生した熱を調理物に効果的に伝達し、調理時に発生する油分又はソースが加熱ユニットに落下しないようにした調理装置を提供する。【解決手段】調理装置は、上部に開口部が設けられた本体と、本体内に配置された少なくとも一つの加熱ユニットと、本体の上部に装着されるグリルユニットと、本体の開口部の下側の少なくとも一つの加熱ユニットに向かって配置される少なくとも一つの熱反射ユニットとを含み、少なくとも一つの加熱ユニットは、飲食物が載せられるグリルユニットの有効グリル部の下側の外側領域に配置される。グリルユニットは、そのうえに載せられた飲食物が焼け焦げないように、内部に水が満たされた複数のグリル管を有し、加熱ユニットは、グリルユニットと熱反射ユニット間でグリル管により形成される有効グリル部の外側に配置される。【選択図】図４
2004160207.tif 000002
【特許請求の範囲】
【請求項１】
上部に開口部が設けられた本体と、
前記本体内に配置された少なくとも一つの加熱ユニットと、
前記本体の上部に装着されるグリルユニットと、
前記本体の開口部の下側の前記少なくとも一つの加熱ユニットに向かって配置される少なくとも一つの熱反射ユニットとを含み、
前記少なくとも一つの加熱ユニットは、飲食物が載せられる前記グリルユニットの有効グリル部の下側の外側領域に配置されることを特徴とする調理装置。
【請求項２】
前記少なくとも一つの加熱ユニットは、前記本体の開口部に向かって前記本体の両側にそれぞれ配置される一対の加熱ユニットを含み、
前記少なくとも一つの熱反射ユニットは、前記加熱ユニットに向かってそれぞれ傾いた多数の反射板を含み、
前記グリルユニットは、前記有効グリル部を形成するように、互いに等間隔で離隔して配置され、内部が水で満たされた多数のグリル管を含むことを特徴とする請求項１に記載の調理装置。
【請求項３】
前記加熱ユニットは前記グリルユニットの有効グリル部に対して３０°ないし９０°の角度で傾くように配置されることを特徴とする請求項２に記載の調理装置。
【請求項４】
前記加熱ユニットは前記グリルユニットの有効グリル部に対して７０°の角度で傾くように配置されることを特徴とする請求項３に記載の調理装置。
【請求項５】
前記各加熱ユニットはセラミックヒーターであることを特徴とする請求項１に記載の調理装置。
【請求項６】
本体の上部に装着されるグリルユニットと、
前記グリルユニットに載せられた飲食物を加熱するように前記本体内に配置される多数の加熱ユニットと、
前記グリルユニットに載せられた飲食物から発生する油分を収集する油分収集ユニットと、
前記グリルユニットに輻射熱を伝達するように前記加熱ユニットに向かって配置される熱反射ユニットとを含み、
前記加熱ユニットは、飲食物に載せられる前記グリルユニットの有効グリル部の下側領域の外側に配置されることを特徴とする調理装置。
【請求項７】
前記調理装置は、
前記加熱ユニットから発生した熱が前記グリルユニットに伝達されるように、前記本体の上部に設けられる開口部と、
前記グリルユニットを安定に定着させるため、前記開口部の両側に設けられる凹設シート部と、
前記加熱ユニットの加熱時間を調整するため、前記本体の一部に設けられるタイマースイッチと、
前記加熱ユニットの加熱温度を制御するため、前記本体の他部に設けられる電源スイッチと、
前記熱反射ユニットが挿着及び分離できるように、前記本体の一部に設けられる収容孔とをさらに含むことを特徴とする請求項６に記載の調理装置。
【請求項８】
前記加熱ユニットは、高温の熱及び遠赤外線を放出するため、電流により熱を発生させる電熱線を有するセラミックヒーターからなることを特徴とする請求項６に記載の調理装置。
【請求項９】
前記グリルユニットは、
互いに離隔して前記シート部に定着される一対の水タンクと、
両側端部が前記水タンクに連結されて内部が水で満たされ、前記グリルユニットに載せられた飲食物が焼け焦げることを防止する多数のグリル管とを含むことを特徴とする請求項６に記載の調理装置。
【請求項１０】
前記熱反射ユニットは、底板と、前記底板の両側縁部から上方に延長される二つの側板と、前記底板の前後側縁部から上方に延長される前後面板とを含むことを特徴とする請求項９に記載の調理装置。
【請求項１１】
前記調理装置は、前記加熱ユニットから伝達される熱を受けて前記グリル管側に反射させるため、前記底板上に設けられる一対の反射板をさらに含むことを特徴とする請求項１０に記載の調理装置。
【請求項１２】
前記反射板は、前記加熱ユニットに向かって傾き、一端部が互いに連結されるように配置されることを特徴とする請求項１１に記載の調理装置。
【請求項１３】
前記調理装置は、前記反射板と前記前後面板とに連結される連結板をさらに含むことを特徴とする請求項１２に記載の調理装置。
【請求項１４】
前記調理装置は、飲食物から発生する油分を収集するため、前記の反射板の第１反射板、前記連結板の第１連結板、及び前記前後面板により形成される第１凹部と、前記の反射板の第２反射板、前記連結板の第２連結板、及び前記前後面板により形成される第２凹部とをさらに含むことを特徴とする請求項１３に記載の調理装置。
【請求項１５】
前記熱反射ユニットの前面板は、前記熱反射ユニットの内部を水で満たして、前記凹部に収集された油分が焼け焦げることを防止するように、注水口を有することを特徴とする請求項１４に記載の調理装置。
【請求項１６】
前記調理装置は、前記熱反射ユニットを前記本体内にスライド方式で挿入するか分離するため、前記前面板に設けられた取っ手をさらに含むことを特徴とする請求項１０に記載の調理装置。
【発明の詳細な説明】
【技術分野】
【０００１】
本発明は調理装置に係り、より詳しくは調理物に効果的に熱を伝達して熱効率を改善させるとともに、調理時間を短縮させる調理装置に関するものである。
【背景技術】
【０００２】
牛肉又は豚肉のような肉類、ソーセージのような肉加工食品は、焼き網に載せ、その表面を直接加熱して調理するグリル調理方式が最もおいしいものとして知られている。したがって、このようなグリル調理方式で調理された肉類、ソーセージなどを好んでいる。
【０００３】
一般に、グリル調理をするための調理装置は、飲食物を直接加熱する加熱ユニットと、飲食物が加熱ユニットに露出されるように載せられるグリルユニットとを備えて、加熱ユニットから発生する熱をグリルユニット上に載せられた飲食物に直接伝達することにより飲食物を調理するものである。
【０００４】
一方、牛肉、豚肉、羊肉のような肉類をグリル調理するためには、通常適正大きさに切った肉片の表面に各種の薬味からなったソースを添加してグリルユニットに載せるが、ソースの添加された肉片が加熱ユニットから伝達される熱により加熱されるとき、肉片に塗られたソース、或いは肉自体に含有された油滴が下方に落ちる。
【０００５】
したがって、本体には、肉片から落ちた熱いソース又は油分を受けて収集する油分収集容器が設けられている。この油分収集容器は、グリルユニットの下方に配置され、調理食品から発生する油分又はソースを受け、加熱ユニットはグリルユニットと貯蔵容器間に配設されて飲食物に熱を伝達して飲食物を焼くことになる。
【０００６】
しかし、前記のような構造を有する一般の調理装置は、グリルユニットの下方に配設された加熱ユニットから上方に伝達される熱のみにより飲食物を調理するため、加熱ユニットの熱を飲食物に効果的に伝達することができないから、熱効率が低下するだけでなく、調理時間がかなりかかる欠点がある。
【０００７】
また、前記のような構造を有する一般の調理装置は、グリルユニットが加熱ユニットから受けた熱により高温になるため、グリルユニットに接触する飲食物部分は焦げて飲食物の味が低下するだけでなく、健康にも非常に良くなくなる欠点がある。
【発明の開示】
【発明が解決しようとする課題】
【０００８】
したがって、本発明は前述したような従来技術の問題点を解決するためになされたもので、その目的は加熱ユニットから発生した熱を調理物に効果的に伝達するとともに、調理時に発生する油分又はソースが加熱ユニットに落下しないようにした調理装置を提供することにある。
【課題を解決するための手段】
【０００９】
前記のような目的を達成するため、本発明は、上部に開口部が設けられた本体と、前記本体内に配置された少なくとも一つの加熱ユニットと、前記本体の上部に装着されるグリルユニットと、前記本体の開口部の下側の前記少なくとも一つの加熱ユニットに向かって配置される少なくとも一つの熱反射ユニットとを含み、前記少なくとも一つの加熱ユニットは、飲食物が載せられる前記グリルユニットの有効グリル部の下側の外側領域に配置される調理装置を提供する。
【００１０】
前記少なくとも一つの加熱ユニットは、前記本体の開口部に向かって前記本体の両側にそれぞれ配置される一対の加熱ユニットを含み、前記少なくとも一つの熱反射ユニットは、前記加熱ユニットに向かってそれぞれ傾いた多数の反射板を含み、前記グリルユニットは、前記有効グリル部を形成するように、互いに等間隔で離隔して配置され、内部が水で満たされた多数のグリル管を含む。
【００１１】
前記加熱ユニットは前記グリルユニットの有効グリル部に対して３０°ないし９０°の角度で、好ましくは７０°の角度で傾くように配置される。
【００１２】
前記各加熱ユニットはセラミックヒーターであり得る。
【発明の効果】
【００１３】
以上のような本発明による調理装置は、加熱ユニットがグリルユニットに対して適正の角度に配置され、加熱ユニットから発生する熱が飲食物の載せられたグリルユニットに効果的に伝達されるので、熱効率が増大し、調理時間が短縮するだけでなく、グリルユニットの全体にわたって飲食物を均一に調理することができる効果があるものである。
【００１４】
また、本発明による調理装置は、加熱ユニットがグリルユニットの外側に配置される構造を有するため、調理の際、グリルユニットに載せられた飲食物から発生する油分又はソースが加熱ユニットに落ちないので、加熱ユニットを清潔に維持することができるだけでなく、加熱ユニットの熱が効率よくグリルユニットに伝達できる効果があるものである。
【発明を実施するための最良の形態】
【００１５】
以下、添付図面に基づいて本発明の好ましい実施例を詳細に説明する。
【００１６】
図１は本発明による調理装置の分解斜視図、図２は本発明による調理装置の結合斜視図、図３は本発明による熱反射ユニットの作用を示すため、本体からグリルユニットを分離した状態を示す斜視図である。
【００１７】
同図に示すように、本発明による調理装置は、略箱状に形成された本体１０と、該本体１０の内部に設けられ、飲食物を加熱する複数の加熱ユニット１６と、本体１０の上部に装着され、上面に飲食物が載せられるグリルユニット２０と、本体１０の下端部に設けられ、加熱ユニット１６の輻射熱をグリルユニット２０に伝達するとともに、グリルユニット２０に載せられた飲食物から発生する油分を受けて収集する熱反射及び油分収集ユニット３０とを含んでなる。すなわち、熱反射及び油分収集ユニット３０は熱反射のための構造と油分を収集するための構造が合体されたものである。したがって、この熱反射及び油分収集ユニット３０は熱反射ユニットと油分収集ユニットとに分離されて構成されたものと見なすこともできる。以下では、この熱反射及び油分収集ユニット３０を便宜上“熱反射ユニット”と通称する。
【００１８】
本体１０の上面には、本体１０に内蔵された複数の加熱ユニット１６から発生する熱がグリルユニット２０に伝達できるようにする開口部１１が設けられ、前記開口部１１の両側には、グリルユニット２０が装着されるように、内側に少し凹んでいるシート部１２が形成される。本体１０の上部一側には、加熱ユニット１６の加熱時間と加熱温度を調節するためのタイムスイッチ１３とパワースイッチ１４が設けられる。また、本体１０の前面下端部には、熱反射ユニット３０が引き出し式で着脱できるようにする収容孔１５が設けられる。
【００１９】
加熱ユニット１６は一対からなり、本体１０の内部の両側面に、開口部１１に向かって斜めに配設される（図４参照）。各加熱ユニット１６は、ガスを燃焼させて熱を発生させるガスヒーター、炭を燃焼させて熱を発生させる炭ヒーターなどから構成できるが、好ましくは、電気により熱を発生させる電熱線が封入されたセラミックヒーターから作って、高温の熱と多量の遠赤外線を放出させるようにする。
【００２０】
グリルユニット２０は、本体１０の上面に設けられた各シート部１２に装着されるように離隔して配置され、内部に水が満たされる一対の水タンク２１と、両端が前記水タンク２１に連結され、内部に水が満たされる多数のグリル管２４とを含む。
【００２１】
各水タンク２１の上面には、ヒンジ軸２３により回動して水タンク２１の開口部を開閉する蓋２２が設けられるので、前記蓋２２を開け、水タンク２１に水を満たした後、蓋を閉じると、グリル管２４の内部にも水が満たされる。したがって、各グリル管２４は、加熱ユニット１６から発生する熱を受けても、飲食物がグリル管２４と接触する部分が焦げなくなる。
【００２２】
熱反射ユニット３０は、略方形に形成された底板３１と、前記底板３１の両側縁部から上方に延長される両側面板３２と、前記底板３１の前後縁部から上方に延長される前後面板３３、３４とを含んで外観をなす。
【００２３】
前記底板３１上には、各加熱ユニット１６から伝達される輻射熱を受けてグリル管２４に向かって反射させる一対の反射板３５が設けられる。この反射板３５は本体１０に内蔵された各加熱ユニット１６に向かって斜めに配置され、その上端が互いに連結されている。また、この反射板３５の下端は各連結板３６の下端に連結され、各連結板３６の上端は側面板３２の上端に連結されるので、各反射板３５の下端と連結板３６と前後面板３３、３４との間には、飲食物から発生する油分、ソースなどを収集する凹部３７が形成され、反射板３５と連結板３６と底板３１との間には内部空間３８が形成される。
【００２４】
また、前面板３３は一定の幅を有し、前面板３３の上面には、一定の大きさに開口された注水口３９が設けられるので、この注水口３９を通じて水を注入すると、内部空間３８に水が満たされる。したがって、熱反射ユニット３０に加熱ユニット１６の熱が伝達されても、凹部３７に集まった油分、又は反射板３５に付いた油分及びソースは焼けない。
【００２５】
また、前記前面板３３の前面には取っ手４０が付着されているので、この取っ手４０を握り熱反射ユニット３０を本体１０の収容孔１５に押し込むか又は引き出すと、熱反射ユニット３０は本体１０の内部に摺動して装着されるか又は分離される。
【００２６】
図４は加熱ユニットがグリルユニットと熱反射ユニットとの間に配置される構造を示すため、図２の線IV−IVに沿って取った断面図であり、図５は図４の有効グリル部を示すグリルユニットの平面図であり、図６は加熱ユニットの配置角度によって、グリルユニットの有効グリル部の縁部と中心部間で加熱ユニットにより伝達される熱エネルギーの変化を示すグラフである。
【００２７】
図４に示すように、本発明による加熱ユニット１６はグリルユニット２０の有効グリル部Ｇの外側に配置される。ここで、有効グリル部Ｇは、図５に示すように、肉類、魚類のような調理物をグリル管２４に載せて調理する部分であって、調理の際、この有効グリル部Ｇに載せられた調理物から発生する油分又はソースが下方に落ちることになる。
【００２８】
前記のように、加熱ユニット１６がグリルユニット２０の有効グリル部Ｇの外側に配置されるので、飲食物の調理時に発生する油分又はソースは加熱ユニット１６には落ちないで熱反射ユニット３０の反射板３５及び連結板３６にだけ落ちて、熱反射ユニット３０の凹部３７に集まることになる。したがって、加熱ユニット１６に付いた油分又はソースを掃除する作用が不要なのはもちろんのこと、加熱ユニット１６の伝熱効率を良好に維持することができる。
【００２９】
図６に示すように、本発明による加熱ユニット１６は、グリルユニット２０のグリル管２４により形成される有効グリル部Ｇに対する加熱ユニット１６の配置角度（θ）によって、有効グリル部Ｇに伝達される熱エネルギーの強度が変化するので、加熱ユニット１６の配置角度（θ）が適切になるように加熱ユニット１６を取り付けることが重要である。
【００３０】
すなわち、有効グリル部Ｇ延長線と加熱ユニット１６の延長線が合うことにより形成される加熱ユニットの配置角度（θ）を３０°以下にして、加熱ユニット１６が有効グリル部Ｇに対して斜めに配置すると、加熱ユニット１６が有効グリル部Ｇの両側縁部Ｓに向かうため、加熱ユニット１６の熱が有効グリル部Ｇに効果的に伝達されない。したがって、このような配置角度においては、有効グリル部Ｇの両側縁部Ｓには相対的に多量の熱エネルギーが伝達されるため、この両側縁部Ｓに載せられた飲食物をあまり早く調理されて焼け焦げる反面、有効グリル部Ｇの中心部Ｃと、両側縁部Ｓの内側部とには相対的に少量の熱エネルギーが伝達されるため、その内側部に載せられた飲食物はめったに調理されるものである。
【００３１】
一方、加熱ユニットの配置角度（θ）を９０°以上にして、加熱ユニット１６が有効グリル部Ｇに対して相当に広がって配置されるようにすると、加熱ユニット１６が熱反射ユニット３０の反射板３５に向かうため、前記の場合と同様に、加熱ユニット１６の熱エネルギーが有効グリル部Ｇに効果的に伝達されない。したがって、このような配置角度においては、有効グリル部Ｇの中心部Ｃには、反射板３５で反射された熱の一部が伝達されため、中心部Ｃに載せられた飲食物はたいていよく調理されるが、両側縁部Ｓと、中心部Ｃの外側部とには加熱ユニット１６の熱がうまく伝達されないため、両側縁部Ｓと、この両側縁部Ｓと中心部Ｃ間とに載せられた飲食物をなかなか調理されない。
【００３２】
さらにほかの場合として、加熱ユニットの配置角度（θ）を３０°と９０°間の範囲となるようにすると、加熱ユニット１６から発生する熱の一部は直接有効グリル部Ｇに伝達されるとともに、残りの熱は反射板３５で反射されて有効グリル部Ｇに間接的に伝達されるので、加熱ユニット１６の熱が効果的に有効グリル部Ｇの全面にわたって伝達される。
【００３３】
好ましくは、加熱ユニットの配置角度（θ）がおよそ７０°となるように加熱ユニット１６を配置すると、加熱ユニット１６から発生した熱の一部が有効グリル部Ｇに直接伝達されるとともに、残りの熱が反射板３５で反射されて有効グリル部Ｇの全面にわたって間接的に伝達されるので、加熱ユニット１６の熱エネルギーが効率良く利用される。そのほかに、加熱ユニット１６から発生する熱が有効グリル部Ｇの中心部Ｃ及び両側縁部Ｓを含む有効グリル部Ｇの全面に均等に伝達される。したがって、加熱ユニットの配置角度（θ）をおよそ７０°となるように加熱ユニット１６を配置すると、有効グリル部Ｇの全面にわたって飲食物が均等で迅速に調理される。
【００３４】
この際、各グリル管２４の内部は水で充填されているため、グリル管２４が加熱ユニット１６から熱を受けても、飲食物がグリル管２４と接触する部分が焼け焦げることがない。
【図面の簡単な説明】
【００３５】
【図１】本発明による調理装置の分解斜視図である。
【図２】本発明による調理装置の結合斜視図である。
【図３】本発明による熱反射ユニットの作用を示すため、本体からグリルユニットを分離した状態を示す斜視図である。
【図４】加熱ユニットがグリルユニットと熱反射ユニット間に配置される構造を示すため、図２の線IV−IVに沿って取った断面図である。
【図５】図４の有効グリル部を示すためのグリルユニットの平面図である。
【図６】加熱ユニットの配置角度によって、グリルユニットの有効グリル部の縁部と中心部間で加熱ユニットにより伝達される熱エネルギーの変化を示すグラフである。
【符号の説明】
【００３６】
１０    本体
１６    加熱ユニット
２０    グリルユニット
２１    水タンク
２４    グリル管
３０    熱反射ユニット
３５    反射板
３７    凹部
Ｇ    有効グリル部
【図１】
2004160207.tif 000003
【図２】
2004160207.tif 000004
【図３】
2004160207.tif 000005
【図４】
2004160207.tif 000006
【図５】
2004160207.tif 000007
【図６】
2004160207.tif 000008